(57)【要約】【解決手段】モータ駆動バリア用の動作システムはさまざまな位置の間でバリアの移動を制御するためのオペレータを含む。オペレータは、無線または有線壁ステーション送信機、無線キーレス入力デバイス及び／または携帯遠隔送信機から無線信号を受信する。またシステムは負荷を制御するライトキットまたはスイッチのようなデバイスを含み、該デバイスはライトキットまたは負荷を制御するための無線信号も受信することができる。さらに送信機は互いに独立に動作するようにオペレータ及びデバイスにより受信可能な無線信号を生成することができる。【選択図】図１
2007523282.tif 000002
【特許請求の範囲】
【請求項１】
モータ駆動バリア用の動作システムであって、
モータ駆動バリアを制御するオペレータであって、前記モータ駆動バリアを制御するために無線信号を受信することができるところのオペレータと、
電気的負荷を制御するデバイスであって、前記電気的負荷を制御するための無線信号を受信することができるところのデバイスと、
互いに独立に動作するように、前記オペレータ及び前記デバイスにより受信可能な無線信号を生成することができる少なくともひとつの送信機と、
から成るシステム。
【請求項２】
請求項１に記載のシステムであって、前記少なくとひとつの送信機は、壁ステーション送信機、遠隔送信機、及びキーレス入力送信機から成る集合から選択される少なくともひとつの送信機である、ところのシステム。
【請求項３】
請求項２に記載のシステムであって、前記オペレータ及び前記デバイスの両方は、前記少なくともひとつの送信機から同じ周波数の無線信号のみを受信するところのシステム。
【請求項４】
請求項１に記載のシステムであって、前記デバイスは、ライトを制御するジグである、ところのシステム。
【請求項５】
請求項４に記載のシステムであって、前記ジグは、
前記無線信号を少なくとも受信するためのトランシーバと、
前記トランシーバと接続された制御器と、
から成り、前記制御器は前記無線信号を有効にし、前記無線信号が有効にされると前記ライトを制御する、ところのシステム。
【請求項６】
請求項５に記載のシステムであって、前記ジグはさらに、
前記制御器とともに動作するプログラムボタンと、
前記制御器に関連するメモリデバイスと、
から成り、
前記プログラムボタンの起動により前記制御器が学習モードに置かれ、前記学習モード中に受信される任意の有効信号が前記メモリデバイス内に格納される、ところのシステム。
【請求項７】
請求項６に記載のシステムであって、前記制御器は集合の間で前記送信機を区別することができ、前記少なくともひとつの送信機は、壁ステーション送信機、遠隔送信機及びキーレス入力送信機から成る集合から選択されるところのシステム。
【請求項８】
請求項７に記載のシステムであって、前記遠隔送信機は複数の機能ボタンを有し、前記学習モードで前記遠隔送信機の第１ボタンを起動することにより前記第１ボタンがバリア命令として指定され、前記学習モード中に前記遠隔送信機の他の任意のボタンを操作することによりその他のボタンがライト動作命令として指定される、ところのシステム。
【請求項９】
請求項８に記載のシステムであって、前記少なくともひとつの送信機により生成された前記バリア命令は、所定時間間隔のみで前記ライトを照らすように、前記オペレータ及び前記ジグにより受信可能である、ところのシステム。
【請求項１０】
請求項９に記載のシステムであって、前記少なくともひとつの送信機により生成された前記ライト動作命令は、オフ状態にあれば前記ライトを点灯させ、指定時間間隔内に先に受信されたドア命令が存在しない場合にのみ前記ライトをオフ状態に戻す、ところのシステム。
【請求項１１】
請求項１０に記載のシステムであって、生成された前記バリア命令は、前記遠隔送信機、前記キーレス入力送信機及び前記壁ステーション送信機の選択ボタンから学習した第１ボタンを有効にするように特定的に制限される、ところのシステム。
【請求項１２】
請求項１１に記載のシステムであって、前記壁ステーション送信機の選択ボタンは、昇降ボタン、遅延閉止ボタン、ペット高さボタン及びドアプロファイルボタンを含む、ところのシステム。
【請求項１３】
請求項１０に記載のシステムであって、前記ライト動作命令を受信した結果として前記ライトが照らされている間に生成された前記バリア命令により、前記制御器は所定の時間間隔の後に前記ライトをオフにする、ところのシステム。
【請求項１４】
請求項１に記載のシステムであって、前記デバイスは負荷を制御するスイッチである、ところのシステム。
【請求項１５】
請求項１４に記載のシステムであって、前記スイッチはさらに、
前記無線信号を少なくとも受信するためのトランシーバと、
前記トランシーバに接続する制御器と、
から成り、前記制御器は前記無線信号を有効にし、前記無線信号が有効にされると前記負荷を制御する、ところのシステム。
【請求項１６】
請求項１５に記載のシステムであって、前記スイッチはさらに、
前記制御器とともに動作するプログラムボタンと、
前記制御器と関連するメモリデバイスと、
から成り、
前記プログラムボタンを起動して前記制御器を学習モードに置くことにより、前記学習モード中に受信した任意の有効信号が前記メモリデバイス内に格納される、ところのシステム。
【請求項１７】
請求項１６に記載のシステムであって、前記制御器は少なくともひとつの送信機を区別することができ、前記少なくともひとつの送信機は、壁ステーション送信機、遠隔送信機及びキーレス入力送信機から成る集合から選択される、ところのシステム。
【請求項１８】
請求項１７に記載のシステムであって、前記オペレータは無線信号を生成することができ、前記制御器はオペレータ無線信号と送信機無線信号とを区別することができる、ところのシステム。
【請求項１９】
請求項１８に記載のシステムであって、前記スイッチはさらに、
前記制御器に接続されたオンボタンと、
前記制御器に接続されたオフボタンと、
前記制御器に接続されたスイッチオンインジケータと、
前記制御器に接続されたスイッチオフインジケータと、
前記制御器に関連するメモリデバイスと、
を含み、
前記制御器を学習モードに置くために所定時間間隔の間作用されるとき、前記ボタンのひとつは前記制御器とともに作動するプラグラムボタンとして機能し、前記学習モードで受信した任意の有効信号は前記メモリデバイス内に格納されるところのシステム。
【請求項２０】
請求項１９に記載のシステムであって、有効な送信機無線信号及び有効なオペレータ無線信号の前記制御器による学習は所定の方法で前記インジケータのひとつの点灯を開始する、ところのシステム。
【請求項２１】
請求項２０に記載のシステムであって、前記学習モード以外のときに前記制御器により前記有効無線信号が受信されると、前記スイッチは以前にオフであれば所定の時間間隔の間前記負荷をオンにする、ところのシステム。
【請求項２２】
請求項２０に記載のシステムであって、前記学習モード以外のときに前記制御器により前記有効無線信号が受信されると、前記スイッチは以前にオンであれば前記負荷をオフにする、ところのシステム。
【請求項２３】
請求項１９に記載のシステムであって、前記負荷がアクティブの際に前記スイッチオンインジケータはアクティブであり、前記負荷が非アクティブの際に前記スイッチオフインジケータがアクティブである、ところのシステム。
【請求項２４】
請求項２３に記載のシステムであって、前記オンボタンの起動により前記負荷がオンになり、前記制御器が任意の無線信号を受信することを妨げ、前記オフボタンの起動により前記負荷がオフとなり、前記制御器が任意の有効無線信号を受信することを可能にする、ところのシステム。
【請求項２５】
モータ駆動バリア用のオペレータシステムであって、
モータ駆動バリアを制御するオペレータであって、前記モータ駆動バリアを制御するための無線信号を受信することができかつ無線信号を生成することができるところのオペレータと、
無線信号を生成することができる少なくともひとつの送信機と、
電気的負荷を制御するデバイスであって、前記デバイスの動作をイネーブルにするように前記オペレータの少なくともひとつ及び前記少なくともひとつの送信機により生成された無線信号を受信することができるところのデバイスと、
から成るシステム。
【請求項２６】
請求項２５に記載のシステムであって、前記オペレータ及び前記デバイスの両方は、同じ周波数を有する少なくともひとつの送信機から無線信号を受信する、ところのシステム。
【請求項２７】
請求項２５に記載のシステムであって、前記デバイスはライトを制御するジグである、ところのシステム。
【請求項２８】
請求項２５に記載のシステムであって、前記デバイスは負荷を制御するスイッチである、ところのシステム。
【請求項２９】
請求項２５に記載のシステムであって、前記少なくともひとつの送信機は第１の周波数で無線信号を生成し、かつ前記オペレータは第２の周波数で無線信号を生成する、ところのシステム。
【請求項３０】
請求項２９に記載のシステムであって、前記オペレータは、前記第１信号で前記無線信号を受信すると同時に前記第２周波数で前記無線信号を生成する、ところのシステム。
【請求項３１】
請求項２５に記載のシステムであって、前記オペレータは、前記第１周波数で前記少なくともひとつの送信機から前記無線信号を受信すると同時に第１周波数で前記無線信号を生成する、ところのシステム。
【請求項３２】
電気的負荷を制御するためのシステムであって、電気的負荷を制御する少なくともひとつのデバイスであって、前記負荷を制御する無線信号を受信することができるところのデバイスと、
少なくともひとつの機能ボタンを有する少なくともひとつの送信機と、
から成り、
前記少なくともひとつの機能ボタンの操作により前記少なくともひとつのデバイスにより受信可能な無線信号が生成される、ところのシステム。
【請求項３３】
請求項３２に記載のシステムであって、前記少なくともひとつのデバイスは、
制御器と、
前記制御器に接続されたプログラムボタンと、
から成り、
前記プログラムボタンの起動により所定の時間間隔の間前記制御器が学習モードに置かれ、所定の時間間隔の間前記少なくともひとつの機能ボタンを起動することにより前記少なくともひとつの機能ボタンが前記電気的負荷と関連付けられる、ところのシステム。
【請求項３４】
請求項３３に記載のシステムであって、前記少なくともひとつの機能ボタンはひとつ以上の前記デバイスと関連する、ところのシステム。
【請求項３５】
請求項３３に記載のシステムであって、前記少なくともひとつのデバイスはひとつ以上の前記送信機と関連する、ところのシステム。
【請求項３６】
請求項３３に記載のシステムであって、前記少なくともひとつの機能ボタンはひとつ以上のデバイスと関連しかつ前記少なくともひとつのデバイスはひとつ以上の前記送信機と関連する、ところのシステム。
【請求項３７】
請求項３３に記載のシステムであって、さらに、
前記学習モード中に受信した有効信号を格納するための、前記制御器に関連するメモリデバイスを含むシステム。
【請求項３８】
請求項３３に記載のシステムであって、前記少なくともひとつのデバイスはライトを制御するジグである、ところのシステム。
【請求項３９】
請求項３３に記載のシステムであって、前記少なくともひとつの送信機は、壁ステーション送信機、遠隔送信機及びキーレス入力送信機から成る集合から選択される、ところのシステム。
【請求項４０】
請求項３３に記載のシステムであって、前記デバイスは負荷を制御するスイッチである、ところのシステム。
【請求項４１】
請求項４０に記載のシステムであって、前記スイッチはさらに
前記無線信号を少なくとも受信するためのトランシーバと、
前記トランシーバに接続された制御器と、
を含み、
前記制御器は前記無線信号を有効にし、前記無線信号が有効にされれば前記負荷を制御する、ところのシステム。
【請求項４２】
請求項４１に記載のシステムであって、前記スイッチはさらに、
前記制御器に関連するメモリデバイスを含み、前記制御器が学習モードにある間に受信した任意の有効信号が前記メモリデバイスに格納される、ところのシステム。
【請求項４３】
請求項４２に記載のシステムであって、前記制御器は前記少なくともひとつの送信機を区別することができ、前記少なくともひとつの送信機は、壁ステーション送信機、遠隔送信機及びキーレス入力送信機から成る集合から選択される、ところのシステム。
【請求項４４】
請求項４３に記載のシステムであって、前記スイッチはさらに、
前記制御器に接続されたオンボタンと、
前記制御器に接続されたオフボタンと、
前記制御器に接続されたスイッチオンインジケータと、
前記制御器に接続されたスイッチオフインジケータと、
前記制御器に関連するメモリデバイスと、
を含み、
所定の時間間隔の間前記制御器が学習モードに置かれるとき、前記ボタンのひとつが前記制御器とともに動作するプログラムボタンとして機能し、前記学習モードの間に受信した任意の有効信号が前記メモリデバイス内に格納される、ところのシステム。
【請求項４５】
請求項４４に記載のシステムであって、有効な送信機無線信号及び有効なオペレータ無線信号が制御器により学習されることにより、所定の方法で前記インジケータのひとつが点灯を始める、ところのシステム。
【請求項４６】
請求項４５に記載のシステムであって、前記学習モード以外のときに前記制御器により有効無線信号が受信されることにより、前記スイッチは、以前にオフであれば所定の時間間隔の間前記負荷をオンにする、ところのシステム。
【請求項４７】
請求項４５に記載のシステムであって、前記学習モード以外のときに前記制御器により有効無線信号が受信されることにより、前記スイッチは、以前にオンであれば前記負荷をオフにする、ところのシステム。
【請求項４８】
請求項４４に記載のシステムであって、前記負荷がアクティブのとき前記スイッチオンインジケータはアクティブであり、前記負荷が非アクティブのとき前記スイッチオフインジケータがアクティブである、ところのシステム。
【請求項４９】
請求項４８に記載のシステムであって、前記オンボタンの起動により前記負荷がオンになり、かつ前記制御器が任意の無線信号を受信するのを妨げ、前記オフボタンの起動により前記負荷がオフになりかつ前記制御器は任意の有効無線信号を受信できる、ところのシステム。
【発明の詳細な説明】
【技術分野】
【０００１】
本発明は、概して、固定部材に関して移動可能な閉止部材に対して使用するためのバリア動作システムに関する。特に、本発明は門またはドアのような可動バリアの動作を、閉止位置と開放位置との間で制御するための動作システムに関する。より特定的には、本発明は無線、好適にはＲＦ信号の受信と同時に機能する動作システムに関し、その無線信号により、電気的負荷の動作を制御するライト及び／またはスイッチの直接的起動が可能となるシステムである。
【背景技術】
【０００２】
周知のように、ガレージのドアまたは門は、選択的に、ある領域への出入りを許すように、その領域を包囲する。ガレージドアは始めは手動であった。しかし、その重さと開閉の不便さとから、現在ではモータが動作制御器を介してドアと接続している。このモータの制御は、有線または無線の押しボタンによりもたらされ、それは起動させたとき、モータを作動させかつ所定の限界に達するまでドアを一方向に移動させる動作制御器へ信号を中継する。ボタンが再び押されると、モータはドアを反対方向へ移動する。ガレージドアオペレータは、現在では安全機能を備えており、障害物にあたるとドアの移動が停止または反転する。光電センサのような他の安全装置は、ドアの通路内に障害物が存在する場合を検出し、正しい動作をするようにオペレータへ信号を送信する。車から降りなくともドアの開閉ができるように、現在では遠隔制御装置も与えられている。従来技術はユーザに便利な他の付加的特徴を開示している。
【０００３】
Roddyらによる米国特許第6,078,271号は、所望の周波数で符号化信号を受信するための受信機を含むプログラム可能送信機を開示する。
【特許文献１】米国特許第6,078,271号
【０００４】
符号は、学習モード中にメモリ内に格納され、その後、所望の周波数を含む複数の周波数で連続的に再送信される。この時間中、オペレータは作動すべき装置を観察し、制御された装置が所望の機能を実行するとき、すなわち、所望の周波数が送信されたとき送信機が指定される。その際、ユーザは送信機のボタンを押し、送信機は最も最近に送信された周波数を格納する。この方法は複数のＲＦ符号及び周波数の両方をアドレスし、その両方には冗長性が必要であるが、すべての異なる製造業者の装置をカバーする必要がある。この技術は、同じ周波数の信号の振幅の測定とは関係なく、複数の周波数によるＲＦ通信方法を示すに過ぎない。Beranらによる米国特許第5,926,106号は、単一のユーザのアクセス要求信号により開始される離散的符号化ＲＦ送信を使って、入力方向アクセス制御のための装置及び方法を開示する。
【特許文献２】米国特許第5,926,106号
【０００５】
制御装置は、バッテリーにより作動し、単一の電気的開始信号を選択的に生成するユーザ起動入力を含む。回路は、単一の電気開始信号の受信に応答する第１及び第２の条件付き出力信号を与え、出力信号は、ＲＦ送信機の第１及び第２送信チャネルのそれぞれをイネーブルにする。信号遅延回路は、第１条件付き出力信号の出力に関して第２条件付き出力信号の出力を遅延させる。この方法の動作は、装置がある時間間隔で２つの別々のＲＦ信号の生成を要求する点で非効率的である。
【０００６】
Fitzgibbonによる米国特許第5,751,224号は、可動バリアまたはガレージドアを開閉するべくそれに接続された電気モータを制御する制御ヘッドを有する可動バリアまたはガレージドアオペレータを開示する。
【特許文献３】米国特許第5,751,224号
【０００７】
制御ヘッドは、携帯送信機または固定キーパッド送信機からＲＦ信号を受信するためのＲＦ受信機を有する。受信機は、受信した符号と格納した符号とが一致すると、電気モータを作動させる。格納コードは、固定キーパッド送信機からの学習モードをイネーブルにすることにより、またはガレージ内に配置された有線制御装置をイネーブルにすることにより、更新または読み込まれる。この装置は、オペレータ及びガレージのライトの両方を制御するが、両方はモータ制御ボードを通じて制御され、別個の装置ではないので個別の通信は不要である。オペレータ制御を通じてライト制御を実行するこの種のシステムは、ライトをオペレータに応答するようにする。例えば、ガレージのドアが開閉位置のいずれかにありかつライトが電灯回路により起動されると、オペレータモータが起動した場合、制御ボードはライトをオンにしかつ時間遅延回路へ送信し、タイマーが切れるとライトをオフにし、電灯回路が再び手動で起動されるまでユーザは暗闇に放置される。この装置は、送信された信号を受信するのにひとつの受信機を使用し、ライトまたはモータ駆動オペレータのいずれかを起動することができる。しかし、ライトは制御ボードに配線されなければならない。したがって、ライトがオペレータから離れている場合、配線はライトを制御ボードに接続するように伸びなければならない。この配線の問題のために、この発明を実施するすべての装置は、モータ制御ボードを含むオペレータハウジングと一体としてライトを設置している。
【０００８】
Mosebrookらによる米国特許第5,905,442号は、電力を電気デバイスに与えるための配線接続により電気デバイスに接続された制御装置を含む、遠隔制御により電気デバイスを制御するための装置を開示する。
【特許文献４】米国特許第5,905,442号
【０００９】
制御装置は電気デバイスのステータスを調節するためのアクチュエータ、ＲＦ送信機／受信機、及びＲＦ信号内の制御情報に応答して電気デバイスのステータスを調節するためのアンテナを含む。送信機／受信機はアンテナを介してＲＦ信号を受信し、電気デバイスのステータスに関する情報を有するステータスＲＦ信号を送信する。マスター制御装置は、少なくともひとつのアクチュエータ、ステータスインジケータ、及び電気デバイスのステータスを制御するための制御情報を有するＲＦ信号を送信しかつ制御装置からステータス情報を受信するための送信機／受信機を有する。ステータスインジケータは、ステータス情報に応答して電気デバイスのステータスを表示する。中継機はマスター装置からＲＦ信号を受信しかつ制御装置へ制御情報を送信し、また制御装置からステータス情報を受信しかつそれをマスター装置へ送信する。この装置は遠隔位置からの電気デバイス、特に、ライトの制御に関連する。より特定的に、装置は、例えばＲＦリンクのような通信リンクを通じて遠隔位置からライトのような電気デバイスを制御することに関する。特に、デバイスは例えばＲＦリンクを通じて遠隔位置から電気デバイスを制御するためのシステムに関し、それは建物の室内配線のような電気システムの配線の変更の必要性を無くする。このデバイスは、電気デバイスのステータスを調節するために制御装置において手動のアクチュエータを与える必要があるところに欠点がある。
【００１０】
Knibbeによる米国特許第5,565,855号は、ビル内の照明器具、窓ブラインド及び空調装置のような設備の調整及び制御を改良したビル管理システムを開示する。
【特許文献５】米国特許第5,565,855号
【００１１】
設備は通信バスを介して制御システムへ接続されており、それは自動調整及び制御を実行する。設備及び／またはビルのレイアウトの配置変更のたびに、バスの再配線を避けるために、ビル内の通常の固定位置にトランスポンダが設置され、トランスポンダは設備に無線で信号を送信する。
【００１２】
Houggyらによる米国特許第5,838,226号は、電気デバイスの制御、特に、ＲＦリンクを通じた遠隔位置からのライトの制御を開示する。
【特許文献６】米国特許第5,838,226号
【００１３】
この装置はさらに、例えばＲＦリンクのような通信リンクを通じて遠隔位置から電気デバイスを制御するためのシステムに関し、それはビルの内部配線のような電気デバイスの室内配線の変更の必要性がない。また装置は、各コンポーネントが所望の通信を信頼して受信することを保証するために、システムのコンポーネント間に通信信号を与えるためのシステム用の通信プロトコルに関する。
【００１４】
Doppeltらによる米国特許第5,969,637号は、ドアの開閉方向にガレージドアを移動するためのガレージドア移動装置を含む、ライト制御を有するガレージドアオペレータを開示する。
【特許文献７】米国特許第5,969,637号
【００１５】
オペレータは、オン及びオフ状態を有するライト、ドア移動装置を作動するためのドア移動信号を生成しかつ複数のオン及びオフ状態のひとつにおいてライトを作動するためのライトイネーブル信号を生成するための制御器、及びドア通路上の障害物の存在を検出するための障害物検知器を含む。制御器は、ドアの動作及びライトの起動を制御するために、ドア状態（開放移動、閉止移動及び開放停止）に応答する。ドア状態が、ドアが開放停止しており、障害物検出器がドア通路内に障害物を検出したことを表示すると、制御器はライトを点灯するためのライトイネーブル信号を生成する。この装置はＲＦ送信機または有線遠隔スイッチから制御器への信号を要求し、それはオペレータ若しくはライト、またはその両方を起動する。
【００１６】
Sumanらの米国特許第5,793,300号は、少なくともひとつのランプ及び少なくともひとつのガレージドア開閉機の動作を選択的に制御する制御システムを開示する。
【特許文献８】米国特許第5,793,300号
【００１７】
制御システムは、家庭用ＡＣ電源導線を通じて、少なくともひとつのライトに接続されるように適応されたコネクタを含む制御モジュールを含む。制御モジュールはガレージドア動作機構に接続されるよう適応された端子を含む。制御モジュール内に配置された回路は、ＲＦ信号を受信しかつ識別し、遠隔制御から受信した複数の信号に関連する制御情報を訓練モードで格納し、遠隔制御信号のひとつが動作モードで受信されたとき、格納された制御信号に従って、ＡＣ電源配線及びガレージドア機構を通じて通信するための制御信号を出力する。制御モジュールはまた、訓練モードで制御モジュールにより受信された信号に関連するべきガレージドア及び／またはライト制御動作を選択するのに使用されるセレクタを含む。この開示において、ＲＦ信号は制御モジュールに向かい、その後ライトまたはオペレータに向かう。
【発明の開示】
【発明が解決しようとする課題】
【００１８】
上記従来技術のいくつかにおいて、ライト用の制御モジュールはオペレータ用のと同じモジュールであり、その結果ひとつの回路に問題があると、それは両方の装置に影響を及ぼす。さらに、ライトに対する命令と、ドアに対する命令とを識別するために制御モジュールに対して離散的信号が必要になる。さらにまた、ドアの動作命令が発せられたとき、通常ランプは点灯するように作動され、上記したように、以前に点灯していたか否かに係らずひとたび起動すると、制御モジュールはライト命令を時間遅延回路に切り替え、所定時間間隔の後にライトを切る。よって、制御回路がタイムアウトした後は、手動でライトを起動する必要がある。したがって、バリアによって包囲された領域付近のライトを制御するためのよりフレキシブルな技術が要求される。バリアの移動及び同じデバイスに対する電気的負荷（器具）を制御する能力も要求される。
【課題を解決するための手段】
【００１９】
概して、本発明は、ＲＦ付勢ライトキット及び／またはスイッチを有するモータ駆動バリアオペレータ用の動作システム及びそれをプログラムする方法に関する。
【００２０】
本発明はまた、モータ駆動バリア用の動作システムを与え、それはモータ駆動バリアを制御するオペレータであって、モータ駆動バリアを制御するために無線信号を受信することができるところのオペレータと、電気的負荷を制御するデバイスであって、負荷を制御するために無線信号を受信することができるところのデバイスと、互いに独立に動作するようにオペレータ及びデバイスにより受信可能な無線信号を生成することができる少なくともひとつの送信機とから成る。
【００２１】
本発明はモータ駆動バリア用の動作システムを与え、それは、モータ駆動バリアを制御するオペレータであって、モータ駆動バリアを制御するための無線信号を受信することができ、かつ、無線信号を生成することができるオペレータと、無線信号を生成することができる少なくともひとつの送信機と、電気的負荷を制御するデバイスであって、少なくともひとつのオペレータ及び少なくともひとつの送信機により生成されるデバイスの動作を可能にするための無線信号を受信することができるデバイスと、から成る。
【００２２】
本発明はさらに、電気的負荷を制御するためのシステムを与え、それは、電気的負荷を制御する少なくとも一つのデバイスであって、負荷を制御するために無線信号を受信することができるところのデバイスと、少なくとも一つの機能ボタンを有する少なくともひとつの送信機であって、少なくともひとつの機能ボタンの操作により少なくともひとつのデバイスにより受信可能な無線信号が生成されるところの送信機とから成る。
【発明を実施するための最良の形態】
【００２３】
本発明に従うモータ駆動ドアまたは門オペレータ用の動作システム10が図１に示されている。システム10はさまざまな種類の可動バリアドアまたは門とともに使用可能であり、ここでドアはガレージ、商店及びビルで使用されるものであり、あるいはその他の構造、窓または他の閉止部材等とともに使用されてもよく、そのすべては全体的にまたは部分的に直線、曲線または非直線であってもよい。このようなバリアまたは他の部材は、通常、木材、金属、様々なプラスチックまたはそれらの組み合わせのようなさまざまな材料から製造される。ドアまたはこれらさまざまな種類のその他の部材の下端は、実質的に矩形であり、または補強部材配置用またはその他の目的でさまざまな方法でプロファイルされている。好適実施例において、本発明は住宅用ガレージドアに使用される。
【００２４】
周知のように、バリアを移動するのに使用される動作システムは多くの形式を有する。最も通常の動作システムは、バリア16と、ギア、バネ、ケーブル等のような任意の数の機構により係合されたモータ14の動作を制御するオペレータ12を含む。オペレータ及びモータはバリアに関して任意の数の位置に配置され、オペレータ／モータの組み合わせは、ヘッダマウント、トロリ、ジャックシャフト、スクリュードライブ、ワームドライブ等と呼ばれる。動作命令を受信すると、オペレータはモータを付勢し、それはバリアに結合されたバリア移動用の関連機構を動かす。典型的に、バリアのエッジは、レールまたはトラック内でスライド可能に保持または支持されている。
【００２５】
オペレータ12はシステム内の他のコンポーネントに関連したRF信号または他の任意の種類の信号を受信または送信するためのアンテナ18を含む。RF信号20はトランシーバ22へ送受信され、それはRF信号を制御器26により受信される符号信号24に変換する。他に、制御器26は、RF信号を代表するデータ信号を受信してもよく、それは配線により直接送られる。制御器26はオペレータ12が使用するのに必要なハードウエア、ソフトウエア及びメモリを与える。
【００２６】
以下で詳細に説明するように、制御器26はバリア移動用及び安全及びシステムの使用を容易にする強化機能用の初期信号を送受信する。ここに開示される実施例に関して、最初に制御器は、壁ステーション送信機30、遠隔または携帯送信機32、またはキーレス送信機34のような送信機から動作命令を受信する。これらの送信機及び制御器は、ライトキット38及び／または負荷スイッチ40とも通信することができる。トランシーバ22及び制御器26はひとつまたはそれ以上のレンジのRF信号を送信及び／または受信するように構成されている。同様に、送信機30、32、及び34はひとつ以上のレンジのRF信号を送信及び／または受信するように構成されている。特に、制御器はひとつのレンジのRF信号を受信し、その後続いて他のレンジのRF信号を生成することができる。オペレータ12の残りの詳細はさまざまな送信機を概観した後に説明する。この後、キット38及びスイッチ40の構成要素をその動作の詳細及びプログラム方法とともに説明する。
【００２７】
制御器26にはLEDプログラムライト42が関連し、それは制御器の動作状態を表示する。制御器26はモータ14に結合し、それはさまざまな駆動機構を通じてバリア16と結合する。バリアにより包囲された領域を照らすための二次ライト45が制御器26に直結されている。プログラムボタン44は、壁ステーション、遠隔及びキーレス送信機、ライトスイッチ等のような無線デバイスのプログラムまたは学習をオペレータ12にさせる目的で制御器26に接続されている。安全センサー46が制御器26に接続されている。センサー46は光電安全センサー、ドアエッジセンサーまたはバリアの通路上の一方または両方向において、バリアの移動により過剰な力が働くかまたは物体が存在することを検知する他の任意のセンサーである。
【００２８】
典型的に、壁ステーション送信機30は家の中からガレージに入るドア付近に配置され、床から約５フィートの高さに配置されるのが好ましい。壁ステーション30は典型的に高分子材料から作られたハウジングを含み、該ハウジングの少なくとも一部は取外し可能であり、必要により内部の部材にアクセスすることができる。壁ステーション30は、好適には２つのAAAバッテリーである電源46を受容するためのバッテリーコンパートメントを含む。電源は、壁ステーション内部に含まれる以下で詳細に説明するさまざまなコンポーネントに電力を供給するために使用される。電力は住宅用電源またはそれと同等のものから供給されてもよい。もしその場合には、内部コンポーネントの電力用に適当な変圧器が必要になる。乾電池バッテリーを使用すれば、必要な電力を供給して、オペレータ及び他のコンポーネントの通信レンジ内に壁ステーション30を配置することができ、オペレータまたは他のソースから直接電力を得る必要がなくなる。電源に接続されたひとつのコンポーネントは、論理制御48であり、これは説明した機能を実行するのに必要なハードウエア、ソフトウエア及びメモリを与えるマイクロプロセッサベースの回路である。LED50は論理制御に接続され、周知の方法で電源から電力を受け取る。さらに論理制御48には、壁ステーション及び／または動作システム10の他のコンポーネントに関する動作情報を与えるための液晶ディスプレイ52またはその他の低電力ディスプレイが接続されてもよい。論理制御48は、アンテナ58により放射されるRF信号57に変換するために、トランシーバ56により受信されるさまざまな信号54を生成する。もちろん、赤外線または音響のようなその他の無線信号がトランシーバ56により生成されることも可能である。好適実施例において、壁ステーション30は無線デバイスであるが、必要なら信号54を制御器26に直接送信するのに配線が使用されてもよい。ここで使用されるトランシーバの用語は、無線信号を送受信することができるデバイスを示す。しかし、同じトランシーバが最初に送信及び受信機能の一方を実行するのが通常である。
【００２９】
壁ステーション送信機30は複数の入力スイッチまたはボタン60を含む。これらの入力スイッチが起動されると、ユーザは動作システムのさまざまな特徴を制御することができるようになる。スイッチは、昇降スイッチ62、手動閉止、自動閉止及びRFブロックを与える三方向選択スイッチ64、インストールスイッチ66、遅延閉止スイッチ68、ペット高さスイッチ70、及びライトオンオフスイッチ72を含む。昇降スイッチ62は、ユーザがバリアをアップ状態からダウン状態へまたはその逆に移動したい時に起動する。三方向選択スイッチ64は異なる動作モードをもたらす。要するに、手動閉止モードにより、動作システム10は、可動バリアを開閉するのにユーザ入力が必要な通常の動作システムと全く同じように動作する。自動閉止特徴により、可動バリアは、所定の時間間隔の間完全に開放位置のままであり、他の条件に一致すれば閉止する。RFブロック特徴は、ユーザが休暇中であり、外部または遠隔送信機による可動バリアの作動をさせないことを望む場合のためのものである。インストールスイッチ66は、可動バリアの他の物理的パラメータに関して可動バリアの動作限界を設定するためのインストールルーチンをもたらすものである。言い換えれば、バリア移動限界及び力のプロファイルがインストールルーチンの起動中に生成される。遅延閉止スイッチ68により、ユーザは、光電アイのような安全装置をうかつに作動させることなく、所定の時間間隔内に包囲された領域を出ることができる。ペット高さスイッチ70によりドアは、小さいペットが出入りできる４から１２インチの最小開放位置まで移動することができる。ライトスイッチ72は２方向のいずれかに作用し、動作システム10に関連するライト38をオンオフする。スイッチ72はライト45も制御する。
【００３０】
オペレータ12と関連する他の送信機はキーレス外部送信機34である。キーレス送信機34はオペレータ12との信号78の送受信用のアンテナ76を具備する。キーレス送信機76は、バリアの移動を開始するための所定の識別番号またはコードを、ユーザが入力することができるキーパッド80を含む。液晶ディスプレイ82がキーレス送信機に関連する。識別番号の入力が完了すると、RF信号78がアンテナにより送信される。
【００３１】
他の種類の送信機は、RF信号86を送信するアンテナ84を具備する遠隔送信機32である。遠隔送信機32は、適当なRF信号を生成するための自身の制御器を有する。固定コードまたはローリングコード技術が動作システム12に対するすべての送信機との通信に使用される。遠隔送信機はメイン機能ボタン88及び動作システムに関連する他の特徴を独立に制御する複数の補助機能ボタン90を含む。特に、ひとつのボタンの起動はバリアの制御用に単独で使用され、他のボタンが動作システムまたは他の特徴に関連するライト38を独立に制御する。しばしば、メイン機能ボタンはバリア移動及びキット38またはスイッチ40の付勢を開始する。
【００３２】
図１に示されるように、ライトキット38は動作システム10と関連する。概して、ライトキットが任意の標準的な二層電気コンセントに接続可能でありかつオペレータ12から電力を与えられる必要がないという点で、ライトキットはユーザ及び設置者にとって便利である。ライトキット38は制御器36と直結されたライト45とともにまたは択一的に使用される。ライトキット38は天井コンセント、壁コンセントまたは任意の住宅用電気コンセントと接続可能である。ライトキットはRF信号により付勢され、このようなライトキットの配置は、受信するようにプログラムされたRF信号のレンジによってのみ制限される。キットは２５℃で約４３３MHzの周波数近辺で動作する。もちろん、他の周波数は取締機関によって許可される限り使用可能である。周波数は共振器または結晶により工場で設定されるので、エンドユーザは調節することができない。
【００３３】
ライトキット38はアンテナ104を介してRF信号102を受信することができるトランシーバ100を含む。トランシーバを通過したあらゆる送受信信号は、外部または内部メモリデバイス110を具備するキット制御器108に向けられるかまたはそれにより生成される。制御器108は、ライトキットを動作システム10へ組み込むために必要なすべてのハードウエア、ソフトウエア及びメモリを含む。プログラムボタン112は制御器108に接続され、ライトキットの動作をイネーブルにするように、異なる送信機及び／またはオペレータ12の学習を可能にする。さらにライトキット38は、必要により住宅用電力により付勢されるライトエレメント114を含む。
【００３４】
端的に、ライトキット38はオペレータ12及び／または送信機30、32及び34と関連するようにプログラム可能である。ライトキット38とスイッチ負荷40のプログラミング及び使用の類似性の観点から、これらのデバイスのプログラミング及び使用の議論はスイッチ負荷のコンポーネント説明の後に行う。
【００３５】
図２を参照して、スイッチ40が示されている。スイッチ40は、ライトジグ、ライトのバンクまたはスイッチに配線されたあらゆる電気設備である負荷120の動作を制御する。スイッチ40はライトキット38と同時に使用されてもよいが、別々に使用されてもよい。スイッチ40はRF信号124を受信し及び／または生成するトランシーバ122を含む。好適実施例において、スイッチは壁ステーション送信機30、キーレス外部送信機34及び遠隔送信機32と異なる周波数レンジで動作する。好適実施例において、RFスイッチ40は２５℃で約４３３MHzの周波数近傍で動作する。ライトキットと同様に、周波数は共振器または結晶により工場で設定される。ライトスイッチのデータ受信範囲は、開放空間で、垂直位置で理想的に受信できるように方向付けられかつ適当な壁または面に固定されたプラスチック製ハウジング内に設置された場合、送受信デバイスの見通し線内で好適に最低１００フィートである。信号124はアンテナ126により送受信される。送受信された信号は、信号をメモリデバイス130内に先に格納したコードと比較するスイッチ制御器128へ送られる。メモリデバイスは外部のものかまたは制御器128の内部に組み込まれてもよい。制御器はここで議論する特徴を実行するために必要なハードウエア、ソフトウエア及びメモリを含む。スイッチ40はオンボタン132及び負荷の直接制御を可能にするオフボタン134を含む。ステータスライト138及び140がスイッチのステータスを表示するために使用され、それは負荷の動作状態と比較される。好適実施例において、ライト138は緑色LEDであり、他のライト140は赤色LEDである。スイッチは１２０V交流６０Hzの単層電力により動作可能である。電力を負荷120へ供給するための出力として第三の配線が与えられる。動作電流は負荷120の作動状態で約６〜８mAで、負荷120がオフ状態で約２〜３mAであると予想される。この動作電流は、スイッチの負荷を含まない。スイッチはユーザが交換可能なヒューズを有せず、電源が故障した場合の保護用に固有の変成器を組み込むことが多いと思われる。
【００３６】
RF信号を復号化するための手法及びライトキット38及びシステム10で使用するスイッチのいずれかを学習する手法は類似する。したがって、図３を参照して、最初にRF信号を復号化するための動作手法及びライトキットまたはスイッチを教える動作手法200を説明する。キット及びスイッチの学習処理の特定の特徴は別々に議論される。第1ステップ202において、RF周波数復号化処理が開始される。次に、ステップ204において、スイッチ及び／またはキットを意味するデバイスが送信機及び／またはオペレータからデータを受信し、受信したデータが以前の受信データを一致するか否かについて問い合わせる。データが一致しなければ、その後ステップ206において、カレントデータが先行データとして保存され、各トランシーバ100/122はステップ208でイネーブルとなる。続いて、ステップ210において、RF復号化処理が休止状態になり、ティーチングサブルーチンはステップ212で出口となる。
【００３７】
ステップ204に戻って、受信データが以前の受信データと一致すると決定されれば、言い換えれば、有効または動作信号がステップ214で受信されれば、制御器は受信データが対応するメモリデバイス内の任意の受信データと一致するか否かを決定する。一致が決定されれば、制御器は、ステップ216で学習モードが休止状態か否かを決定する。学習モードが休止していれば、処理はステップ218に進み、処理命令はアクティブのフラグを立てる。続いて、ステップ220において、先行データバッファは消去され、トランシーバは上記したようにステップ208でイネーブルとなる。その後、処理はステップ210及び212に続く。ステップ214において、受信データがメモリに格納されたいずれのデータとも一致しないと決定されれば、処理はステップ222に進み、学習モードがアクティブであるか否かを決定する。典型的に、学習モードは、所定の時間間隔の間、プログラムボタン112またはスイッチ132を押して保持することにより、特定のデバイスに対して入力される。ステップ222において、学習モードがアクティブモードに置かれないと、処理はステップ208に進み、上記したように続行する。しかし、ステップ222において、学習モードが適切に入力されたことが決定されれば、その後ステップ224において、制御器はメモリポインタを読み取り、次に有効なメモリ位置を決定する。メモリ位置が空いていれば、ステップ226において、キットまたはスイッチに関連するべき送信機のシリアル番号が格納される。これに続いて、ステップ228において、学習モードがキャンセルされ、ステップ230において適当なインジケータが生成される。典型的に、これは、ライトエレメントまたはライトインジケータ138及び／または140の所定回数の点滅を含む。さもなければ、ひとつのデバイスにより可聴音が生成されることもできる。このステップ230の終了と同時に、処理はステップ220に続き、残りの処理ステップが実行される。ステップ216において、学習モードが休止状態と決定されれば、その後ステップ228において、学習モードがキャンセルされ、上記した処理ステップ228、230、220、208、210及び212が実行される。
【００３８】
好適には、ライトキット38はガレージドア動作システム10とともに使用される。しかし、制御器108が学習できる適当な送信機とともに与えられる限り、ライトキットは別々に作動してもよい。好適にライトキットのデータ送信範囲は、ローリングコードまたは固定コードフォーマットで動作する互換性のある送信装置でテストした場合、開放空間でデバイスの見通し線方向に最低５００フィートである。ローリングコードフォーマットが使用されれば、制御器は、２つのうちの１つの送信データ速度でローリングコードの固定部分を適切に符号化することができる。キットはすべての送信機コードがメモリ110から消去された状態で消費者に分配される。最初に電源オンしたとき、電力故障の後、及び電力が回復したとき、キットは約１秒間ライトエレメント114を点灯し、その後消灯するようにプログラムされる。この電源オン処理が完了すると、キットは所定の通常モードで動作する。
【００３９】
処理200は、送信機及び／またはオペレータ装置をキット38と関連付けるために実行される。特定的に、学習ボタン112が解放されると、制御器100は学習モードが入力されたことを示すべく所定のシーケンスでライトエレメント114をオンオフする。点滅の後、エレメントは所定の時間中オンのままであり、制御器は有効な送信機が学習されるとすぐにエレメントをオフにする。学習処理の間、デバイスと関連すべき送信機またはオペレータのボタンを起動することにより有効コード信号が受信されれば、制御器は入力コード信号をメモリ110内に格納されたすべてのコードと比較する。その後、制御器は、コードが新しいデバイス用のものか、以前に学習したデバイスのものかに応じて作動する。コードがここで説明したいずれかの送信機の以前に学習したボタンからのものであれば、装置は所定の回数ランプを点滅させたのち、ランプを消灯し、その後すぐに学習ルーチンを離れる。制御器は、特定の送信機に対する予期した次の有効送信データを更新することなく、あらゆるユーザメモリ領域を更新することはない。
【００４０】
新しいデバイスがキット38と関連するよう学習されると、その後制御器108はそれが、携帯または遠隔送信機32、壁ステーション送信機30、オペレータトランシーバ22または外部に設置されたキーレス入力送信機34のいずれであるかを区別する。デバイスが携帯送信機32であり、それが特定の送信機からのボタンの最初の起動である場合には、制御器は自動的にそれがドア命令ライトルーチンであると仮定する。言い換えれば、送信機のこの特定のボタンの起動は、オペレータに対する昇降命令であると自動的に推定され、遠隔送信機は別々にまたは同時にオペレータに学習され、ライトキットは送信機32からの昇降命令の送信とともにオンオフされる。キット38は、送信機の情報を不揮発性メモリに格納し、送信機の適切な学習を知らせるべく所定の時間間隔の間所定回数ライトエレメントを点滅させる。その後制御器はすぐにランプを消灯し、学習ルーチンを出る。遠隔送信機の第２ボタンが以前の有効な送信機に対するキット38と関連すべきものであるなら、制御器10は自動的に、この新しく学習した第２ボタンはライト動作命令であると仮定する。第２ボタンが学習されると、制御器108は所定回数ライトエレメント114を点滅させ、ランプを消灯し、その後すぐに学習ルーチンから出る。これにより、送信機は、バリアと関連するオペレータの動作から離れて別々にライトキットを動作することができる。言い換えれば、遠隔送信機の第２ボタンの起動により、バリアを移動させることなくライトのオンオフが可能になる。ライトの動作はタイマーにより制御されない。
【００４１】
壁ステーション送信機30の学習は、遠隔送信機と同じように実行され、壁ステーション送信機30は壁ステーション上の指定ボタン用の有効送信デバイスであると考えられる。言い換えれば、昇降ボタン、遅延閉止または自動閉止ボタン、またはライトキット38が学習モードに置かれている間RF信号を送信する任意のボタンが、ライトキットの動作を開始するよう関連付けられる。例えば、ライトキットが学習モードにある間ペット高さボタン70が起動されれば、ボタンが押されたときにいつでもライトが点灯する。
【００４２】
外部に設置されたキーパッドまたはキーレス遠隔送信機34は、例えばドア命令に対して遠隔送信機の学習した有効第１ボタンと同様の方法で学習される。ライト動作命令モードは好適実施例において送信機34に対して有効ではないが、特定モードの選択キーの起動はライト動作モードをイネーブルにする。
【００４３】
ライトキット38は、プログラムボタン112を押しかつ離した後の約２５秒またはその他の決められた時間間隔内に有効な送信信号を受信しなければ、エレメント114は消灯し、制御器108はすぐに学習ルーチンを出る。
【００４４】
ライトキットの通常の動作において、任意の有効なドア命令は、ライトキットに対して、約５分間または工場において適当とみなされる時間間隔の間ライトエレメント114を点灯させる。この時間間隔の終了と同時に、ライトエレメントは消灯する。以前にライト動作命令が発せられていれば、デバイスはタイマーを再初期化する。タイマーの満了前に他の有効ドア命令が受信されれば、タイマーはリセットされ、タイムアウト処理が再開される。ほどなく有効ドア命令信号は、遠隔送信機32及びキーレス送信機34を含む遠隔送信機から学習された第１ボタンを有効にするよう制限される。ドア昇降、ドア時間命令、ペットドア命令、及びプロファイル命令は好適に有効ドア命令であると考えられる。自動閉止スイッチ64のような他のドア命令はライトキット38を起動するのに適当であるとは考えられない。
【００４５】
ライト動作命令が遠隔送信機または壁ステーション送信機のいずれかから受信されれば、装置はエレメント114が消えていればそれを点灯させる。エレメントがすでに点灯していれば、装置は前の３０秒間に有効なドア命令が発せられなかった場合のみランプを消灯する。制御器108がライト動作命令を以前に受信していれば、制御器108はエレメント114を消す。
【００４６】
好適実施例において、ライトキット制御器108は全部で１２個の特異な送信機を学習する能力を有する。特定的に、制御器108は、６個の送信機（送信機あたりボタン２個まで）、３つの壁ステーション及び３つの外部設置キーレス送信機まで学習することができる。ライトキット38は最大３０個の特異ボタンを符号化しかつ適切に作動させることができる十分な記憶容量を有する（３個の壁ステーション送信機、３つのキーパッド送信機及び６個の遠隔送信機、ここで壁ステーションの各送信機は２つのボタンを有する）。制御器108及びメモリ110は先入れ先出し方法で情報を格納するよう構成される。送信コード用のデータ格納限界に達すると、最初に学習した送信機の除去が以下のようにして行われる。新しい送信機の学習は、先に学習した送信機を除去するのみで、先に学習した壁ステーションまたはキーレス送信機を除去しない。新しい壁ステーション送信機30の学習は、先に学習した壁ステーションを除去するのみで、先に学習した遠隔またはキーレス送信機を除去しない。新しいキーレス送信機の学習は、先に学習したキーレス入力送信機を除去するのみで、壁ステーションまたは遠隔送信機を除去しない。
【００４７】
要するに、ライトキット38の制御は同一送信機スキームを通じて達成される。この手法は、バリアを移動しかつライトエレメントを起動するために、送信機（壁ステーション、遠隔またはキーレス）の同じ第1ボタン操作を利用する。また、この手法により、すべての送信機の第2ボタンを操作することによって、ライトのオンオフ状態を独立に制御することが可能になる。好適にはキットに関連する制御器は、オペレータ12により使用されるものと同じ周波数を使用することを要求する。所望により、同一送信機スキームは、スイッチ40の動作に使用されてもよい。
【００４８】
ユーザがメモリ110からすべての学習済みコードを消去することを望めば、１０秒間ほどの所定の時間間隔の間連続して学習ボタン112を押して保持すればよい。この時間が終了すると、すべての学習済みデバイスはメモリから消去され、エレメント114は１０点滅サイクルの間点滅する。ライトエレメント114はその後消され、制御器108はメモリ消去ルーチンを出る。
【００４９】
上記に基づき、動作システム10と一緒に使用されるライトキットの利点は、容易に明白である。ライトキット38は自身のトランシーバを有し、バリア移動を制御するのに利用される動作システムにより受信可能な複数のRF信号を受信しかつ学習することができる。制御器108はひとつまたは接続した一連のライトを起動することができる。ライトキット38は、ドア移動を制御するオペレータから離れて、遠隔的かつ独立に動作するという利点を有する。さらに、ライトキット38は、オペレータが実行または待機状態において、オンオフが可能である。言い換えれば、オペレータに関連するライトエレメント114がタイムアウトした後、バリアを再び開閉せずにライトエレメント114を遠隔的に点灯することができる。これらの特徴の利点は、通信プロトコルがこのシステムに必要ではなく、システムの各コンポーネントは所望する通信を安心して受信できるという点にある。このシステムはエレメント114の状態を調節するために制御デバイスにおいて手動のアクチュエータを与える必要がないばかりか、システムは従来技術にしばしば見られるデバイスを起動する方法のようにある時間間隔で２つの別々のRF信号を必要としない。ライトキットの動作にも複数の周波数は必要ではない。
【００５０】
図２を参照して、送信機及びオペレータに関するスイッチ40の学習の要点をその動作に従って説明する。上記したように、スイッチは約４３３MHzの好適なRFで動作する。トランシーバ122はオペレータのトランシーバ22または送信機30、32及び34から送信された固定コードまたはローリングコードを受信することができる。
【００５１】
好適実施例において、最初にスイッチ40は、不揮発性メモリ130からすべての送信機コードが消去された状態でユーザに与えられる。ライトキットに関して、電力故障の場合、スイッチ40はメモリ130に書き込まれたスイッチの先に格納された動作状態を読み出す。電力が遮断されたときスイッチ40がオフ状態であれば、その後電力が回復したときにスイッチはオフのままである。電力が遮断されたときスイッチ40がオン状態であれば、タイマーがリセットされかつ負荷がオフされる場合に制御器がもしタイマーモードでなければ、スイッチはオンに戻る。言い換えれば、負荷120がボタン132の作動によりオン状態に置かれれば、その後電力が回復したとき負荷はオンのままである。しかし、負荷120がRF命令によりオンとなれば、その後それは装置への電力の回復と同時にオフとなる。最初の電源オンの後、スイッチは所望の通常動作モードで動作する。所望により、選択的にスイッチはタイマー無しで与えられてもよい。
【００５２】
ひとつまたはそれ以上のオペレータシリアル番号を学習するべく、スイッチ40を学習モードに置くために、エンドユーザは５秒間連続してオフボタン134を押しつづけるが、１５秒間以上ではない。これらの時間間隔は適当とみなされるように調節される。オフボタンが５秒間押された後、制御器128は緑色LED138を発光させかつタイマーを起動し、所定の時間間隔、好適には５秒間の間負荷120をオンに維持する。オフスイッチ位置が解放されると、赤色LED140は所定の速度で連続的に点滅し、制御器は学習モードに入る。ユーザがオフスイッチ134を最初の沈んだ状態から突然解放し、学習ルーチンの任意のポイント中に再び押すと、装置は学習ルーチンを出て、通常の動作を再開し、負荷をオフにする。学習ルーチンの間、スイッチ40はすべての入力RF信号を復号化し、適当なシリアル番号を有する有効信号が受信されれば、その後スイッチはこの入力シリアル番号をメモリ130内に格納されたすべてのシリアル番号と比較する。受信コードが許容できる場合、学習プロセスはガレージドアRF送信（シリアル番号）を不揮発性メモリに格納しつづけ、所定の回数緑色LED138を点滅させ、送信機の適切な学習を知らせて、すぐに学習ルーチンを出る。したがって、スイッチ40が学習モードにある間、制御器26に関連するボタン44を含む、送信機30、34、32のいずれかの適当なボタンにより、特定の装置が、スイッチ40を作動することができる。学習モードで約３０秒間後にスイッチが有効送信を受信しなければ、その後スイッチは学習ルーチンを出て、通常動作を再開する。スイッチ負荷120は残り５分の間オンのままであり、メモリ130に格納された既存コードが保持される。
【００５３】
システム10のリレー信号スキーム構成において、スイッチ制御記128は送信機30、32及び34のいずれかからトランシーバ22により受信された命令に応答して、トランシーバ22を通じて制御器26からオンオフ命令を受信する。このスキームにおいて、オペレータ12はひとつの周波数レンジで信号を送信機から受信しかつスイッチ制御器に対して他の周波数レンジで信号を生成する。これにより、スイッチは、近くのソースからの干渉信号を受信するのが防止され、その結果、スイッチは他の種類の送信機と互換性を有する。もちろん、同じ周波数レンジの信号がトランシーバ22により受信されることも可能であり、それは同じ周波数信号を制御器128へ送信する。所望により、リレー信号スキームはライトキット38の動作で使用されてもよい。事実、ライトキット及びスイッチがリレー信号スキームを利用することが好ましい。
【００５４】
メモリ130からひとつまたはそれ以上の学習したシリアル番号を消去するために、エンドユーザは１５秒間の間連続してスイッチをオフ位置134に押し続ける。オフ位置が５秒間押されると、制御器は５秒後に緑色LEDを照らし、５分間の間負荷がオンされるように５分タイマーを作動させる。オフスイッチ134が最初の５秒を過ぎて１０秒間、トータルで１５秒間押され続けると、その後制御器128はすべての格納したシリアル番号を消去し、所定の回数赤色LED140を連続して点滅させる。
【００５５】
通常の動作モードにおいて、スイッチ40は以下のように実行する有効RF送信命令を受信しかつ検出する。ライトオン命令、ライトオフ命令、及び既存状態の命令からのトグル命令を含む任意の有効ガレージドアオペレータ送信命令に応答するように、スイッチがプログラムされる。有効なライトオンドアオープナー送信命令によりライトスイッチは約５分間の間負荷をオンにし、その時間の後、スイッチは負荷をオフにする。先に負荷オン命令が発せられていれば、制御器128は５分タイマーを再初期化する。有効な負荷オフガレージドアオープナー送信命令により、スイッチは負荷をオフにし、タイマーをクリアする。有効なトグルガレージドアオープナー送信命令により、スイッチは既存状態と反対の状態に負荷出力をトグルし、５分タイマーをクリアする。
【００５６】
LED138及び140はプログラミング及び使用中に動作状態を表示する。状態インジケータは好適に明るいガレージ内で６フィートの距離から見ることができる。また、観察位置は好適にはインジケータの高さの２フィート上である。制御器128は負荷がオフの間赤色LED140を照らし、負荷がオンの間緑色LED138を照らす。負荷がオフであると見える間に緑色LED138がオンであれば、負荷のあるコンポーネントが交換を要求していることをユーザに示している。言い換えれば、緑色LED138は負荷120がオンに切り替えられたが負荷は明らかに故障していることを示す。スイッチ40はそのソースでオンオフトグルを与える点でも有利である。言い換えれば、オン位置ボタン132の操作はオフだった負荷をオンにし、制御器のRF受信モードをオフにする。したがって、この状態の間に送信機30、32及び34から受信された任意の信号は無視される。オフ位置ボタン134の操作により、負荷は以前にオンであればオフにされ、制御器128のRF受信モードをイネーブルまたはアクティブにする。
【００５７】
好適には、スイッチ40は６個の特異なバリア操作送信または命令のコードを学習することができる。制御器128は、この情報は先入れ先出し方法で格納し、格納限界に達すると、最初に学習したオープナーのシリアル番号の消去が始まる。
【００５８】
RF動作スイッチ及び関連負荷の利点は、すでに明白である。特に、スイッチは自身のトランシーバを融資、複数のRF信号を受信しかつ学習することができる。スイッチトランシーバは複数のライトまたは住宅用電源により付勢される他の設備のようなあらゆる種類の電気的負荷を起動することができる。スイッチ40はオペレータにより制御される別個独立のデバイスである。スイッチ制御は、実行状態または待機状態でオペレータによりオンオフされ、スイッチは最初にオペレータにより付勢される際に負荷をオフに切り替えるためにタイマーを組み込むこともできる。スイッチはまた、各コンポーネントが信頼して通信することを保証するために、システムのコンポーネント間で通信信号を与えるための通信プロトコルを必要としない点でも有利である。さらにデバイスは動作方法に従い時間間隔で別々のRF信号を必要としないばかりか、複数の周波数での動作をも要求しない。
【００５９】
したがって、本発明の目的は上記した構成及び方法を使用することにより満足されたことがわかる。以上、好適実施例が詳細に説明されてきたが、発明はそれに限定されるものではない。よって、発明の思想及び態様は特許請求の範囲にしたがって決定されるべきものである。
【図面の簡単な説明】
【００６０】
【図１】図１は、本発明のひとつの実施例に従うモータ駆動バリアオペレータの動作システムである。
【図２】図２は、本発明の他の実施例に従うモータ駆動バリアオペレータの動作システムである。
【図３】図３は、動作ステップを配置したフローチャートであり、ＲＦ付勢スイッチ及びライトキットを動作システムとともに使用することを教示する。
【図１】
2007523282.tif 000003
【図２】
2007523282.tif 000004
【図３】
2007523282.tif 000005
【国際調査報告】
2007523282.tif 000006
2007523282.tif 000007
2007523282.tif 000008